(57)【特許請求の範囲】
【請求項１】
船べり上面に取り付ける釣り仕掛け基台底面の船べり内側を向く一端に、万力を、前記底面下部で倒立できるよう連結して設け、さらに、前記底面下部に、万力の連結部を囲みかつ前記底面と万力のくわえ部上縁との高さの差を補う凸部を設けることを特徴とする船べり上面に取り付ける釣り仕掛け基台船べり装着装置。
【請求項２】
前記底面の船べり内側を向く両端に、前記凸部より突き出た凸部を基台の船べり装着時に船べりの内側を向く面と圧着するよう設けることを特徴とする請求項１記載の船べり上面に取り付ける釣り仕掛け基台船べり装着装置。
【請求項３】
前記万力の連結部にバネを付加して万力の前記底面への収納を自動化することを特徴とする船べり上面に取り付ける請求項１又は請求項２記載の釣り仕掛け基台船べり装着装置。
【発明の詳細な説明】
【技術分野】
【０００１】本発明は、船べり上面に取り付ける釣り仕掛け基台船べり装着装置に関する発明である。
【背景技術】
【０００２】釣り船は、船べりに釣り仕掛け基台を装着し、使用することが多い。多数の針を吹き流し状につけた仕掛けの保持と投入を、効率的に行なうためである。これらの釣り仕掛け基台は、該基台上面の、船べり外側に並ぶ針保持部に、秩序よく、針を並べて保持する形状が多い。釣り人は、基台の船べり内側に立ち、仕掛けの保持と投入を行なう。仕掛けは、投入時も、秩序よく、針保持部から離脱し、釣りの効率を高める。従来の釣り仕掛け基台の船べり装着方法は、幅や厚さが異なる船べりへの着脱を自在に行なうため、万力状の装着器具を既設するか、独立した万力によって、船べりに圧着固定するのが一般的である。何れの従来の方法も、万力などの船べり装着器具の全体乃至一部が、基台上面や側面に突出して使用時の操作性や機能を損なう、乃至、基台下方に突出して運搬性を損なうなどする。
【発明の開示】
【発明が解決しようとする課題】
【０００３】本発明の船べり上面に取り付ける釣り仕掛け基台は、船べり装着器具の全てを、基台底面に収納し、針や糸保持がし易く、かつ、釣り糸が風に舞うなどして船べり装着器具にからむ問題を解消し、かつ、運搬性も高める。更に、発明が解決しようとする課題について、詳述する。課題１、一般的な船べりは、幅や厚さが多様である。本発明の釣り仕掛け基台船べり装着装置、第一の課題は、基台を、幅と厚さが多様な船べりに、着脱自在にすることである。［課題２］本発明の釣り仕掛け基台船べり装着装置、第二の課題は、基台の機能や操作性を損なうことが少ない、基台下部における船べり装着を実現することである。尚、船べり装着は、作業が簡単、かつ、基台のがたつきやずれ、回転が、最小でなければならない。［課題３］本発明の釣り仕掛け基台船べり装着装置、第三の課題は、船べり装着装置の万力を、基台下部に転倒収納可能にして、優れた運搬性を提供することである。
【発明の目的】
【０００４】本発明の目的は、上記課題を解決する、新しい釣り仕掛け基台船べり装着装置を提供することにある。
【課題を解決するための手段】
【０００５】本発明の釣り仕掛け基台船べり装着装置は、釣り仕掛け基台底面の船べり内側を向く一端に、万力を、前記底面下部で倒立できるよう連結して設け、さらに、前記底面下部に、万力の連結部を囲みかつ前記底面と万力のくわえ部上縁との高さの差を補う凸部を設け、さらに、前記底面の船べり内側を向く両端に前記凸部より突き出た凸部を基台の船べり装着時に船べりの内側を向く面と圧着するよう設け、さらに、万力の連結部にバネを付加して該万力の収納を自動化することを特徴として課題を解決する。
【０００６】船べりの殆んどは、船の前後に長く上面はほぼ平ら、幅が１０センチメートルから２０数センチメートル、厚さが数ミリメートルから１０数センチメートル、舷側上端に位置し、幅の過半は、舷側内側にオーバーハングしている。本発明の船べり上面に取り付ける釣り仕掛け基台船べり装着装置は、基台底面の船べり内側を向く一端に、万力を、前記底面下部で倒立できるよう連結して設け、かつ、くわえ部が船べり外側に向かって開口するよう設ける。万力は、基台底面の下方に立てた状態で、前記オーバーハング部を上下に咥えることが可能になり、締め付けローターを締め込むことによって船べり固定を達する。前記万力は、くわえ部の奥行きが、数センチメートルから１０センチメートル、くわえ部の可変範囲を０センチメートルから１０数センチメートルとすることで、ほとんとの船べりの幅と厚さに対応可能となる。以上により、該基台は、幅や高さが異なる船べりに装着自在になり、課題１を解決する。
【０００７】前記万力による船べり固定は、基台の船べり装着時、万力くわえ部から離れた縁辺でがたつき、かつ、くわえ部を軸にして回転しやすい課題を残す。前記縁辺のがたつきは、船べり上面と基台底面の圧着が、基台底面と万力くわえ部上縁との高さの差、つまり、万力の躯体および連結部の高さによって、阻害されるためである。本発明の釣り仕掛け基台船べり装着装置は、基台の底面下部に、万力の連結部を囲み、かつ、基台底面と万力くわえ部上縁との高さの差を補う凸部を設けて、前記縁辺のがたつきを解決する。さらに、本発明の釣り仕掛け基台船べり装着装置は、前記底面の船べり内側を向く両端に、前記凸部より突き出た凸部を基台の船べり装着時に船べりの内側を向く面と圧着するよう設ける。前記のより突き出た凸部は、基台が、前記万力くわえ部を軸に回転することを防ぐ。以上によって、本発明の釣り仕掛け基台船べり装着装置は、ずれやがたつき、回転がない船べり固定を実現する。なお、該基台が、船べりの前後方向に長い場合、基台の船べり内側の前記底面に、複数の万力を設けることも可能である。複数の万力を設ける場合、前記のより突き出た凸部は不要となり、かつ、１個の万力より強力に船べり固定できる。本発明の釣り仕掛け基台船べり装着装置は、全てのパーツが、基台下部に設けられて作動し、かつ、がたつきやずれ、回転が無い、船べり装着を可能にする。つまり、課題２を解決する。尚、本発明の船べりに取り付ける釣り仕掛け基台は、基台の底面で、前記万力を倒立可能にして連結し、かつ、前記の凸部とより突き出た凸部を設けることが可能なスペースを有する場合に限り、有効である。
【０００８】本発明の釣り仕掛け基台船べり装着装置は、釣り仕掛け基台底面の船べり内側を向く一端に、万力を、前記底面下部で倒立できるよう連結して、設ける。万力の連結部は、蝶番の利用が、実用的である。蝶番の一方の羽根を、前記底面の船べり内側を向く一端の中間に連結し、他方の羽根を前記万力の前記底面を向く躯体上面に連結する。以上により、万力は、前記底面の連結部において倒立し、前記底面、つまり、該基台下部に転倒収納可能となる。前記［０００６］項記載の、くわえ部が１０数センチメートルを有する万力は、締め付けローター等を加ると２０センチメートル余も、基台下方に突出することとなるが、前記の転倒収納により、数センチメートルの突出に抑えることが可能になる。さらに、本発明の釣り仕掛け基台船べり装着装置は、万力の連結部にバネを付加し、該万力部を前記底面下部へ、自動的に収納することも可能である。バネの付加は、蝶番の回転軸にコイルバネを付加し、バネの反発力を蝶番の羽根に働かせ、非使用時の万力を、自動的に基台下部に収納せしめる。前記蝶番の他に、くわえ部の上縁を構成する万力の躯体に、回転軸を付加する方法も有効である。前記回転軸は、基台底面に設けた一対の軸受け板によって回転を支えられ、万力の転倒収納を可能にする。また、蝶番の場合と同様に、該回転軸にコイルバネを装着することも可能である。以上は、万力の転倒収納を簡単にし、かつ、優れた運搬性を提供する。
【発明を実施するための最良の形態】
【０００９】図１は、本発明の釣り仕掛け基台船べり装着装置、第一実施例の全体斜視図である。図２は、第一実施例の、基台底面、および、基台底面の船べり内側下方に設けた壁の透視、斜視図である。図３は、第一実施例の、蝶番部の斜視図である。図４は、第一実施例の、万力部の斜視図である。図５は、第一実施例の、基台底面に設けた凸部、および、基台底面の船べり内側両端に設けたより突き出た凸部の斜視図である。図６は、図１第一実施例の、基台下部に、万力を収納した状態の全体斜視図である。図７は、本発明の釣り仕掛け基台船べり装着装置の第二実施例の斜視図である。図８は、基台が長い場合、複数の万力を装着する例で、本発明の釣り仕掛け基台船べり装着装置、第三実施例の全体斜視図である。また、図８は、図７の第二実施例の全体説明図も兼ねる。【００１０】図１を以って、本発明の釣り仕掛け基台船べり装着装置、第一実施例を説明する。第一実施例の船べり装着装置は、台板状釣り仕掛け基台底面１Ａの船べり内側を向く一端の中間に、万力を、前記底面１Ａ下部で倒立できるよう連結して設ける。万力は、くわえ部３Ｆが、前記底面１Ａの船べり外側に向かって開口するよう設けて、基台が、幅や高さが異なる船べり９に装着自在、かつ、非使用時、万力が基台下部へ転倒収納されるようにする。第一実施例は、万力の連結部に蝶番を用いている例である。蝶番の一方の羽根２Ｂに設ける連結穴２Ｅと基台底面１Ａつまり基台台板に設ける連結穴１Ｂをネジで連結し、かつ、蝶番の他方の羽根２Ｃに設ける連結穴２Ｆと該万力くわえ部の上縁に設ける連結穴３Ｄをネジで連結して、基台底面１Ａの下方における万力の連結と倒立を可能にする。しかし、前記の万力だけでは、前記底面１Ａと前記万力のくわえ部上縁との高さの差が、前記底面１Ａの縁辺と船べり上面９の間に、がたつきを生む。本発明の釣り仕掛け基台船べり装着装置は、前記底面１Ａの下部に、前記万力の連結倒立用スペース４Ｂを囲み、かつ、前記の高さの差を補う凸部４Ａを設けて前記がたつきを解決する。さらに、本発明の釣り仕掛け基台船べり装着装置は、前記底面１Ａの船べり内側の両端に、前記凸部４Ａより突き出た凸部５Ａが、基台の船べり装着時に船べりの内側を向く面１１と圧着するよう設けて、基台が船べり上面で万力くわえ部３Ｆを軸に回転することを防ぐ。尚、図１は、前記凸部４Ａおよびより突き出た凸部５Ａが、軽量かつ船べり上面の凹凸に対応するよう、スポンジ状の材質を採用する例を示している。前記底面１Ａの船べり内側下方を向いている壁１Ｃは、前記スポンジ状材質のより突き出た凸部５Ａが、船べり内側に倒れるのを防ぐため設ける。尚、該基台に、厚さ；１ミリメートルのステンレス材を用いる場合、前記凸部４Ａとして、基台の底面ほぼ全域に、厚さ；１５ミリメートル以上の単泡状スポンジを用いることができれば、仮に、万力部が、ステンレス材であっても浮力が得られる。浮力がある基台は、誤って海中に落としても、回収可能である。基台が、ステンレスより比重が小さい、プラスチックや木質の場合は、より薄い単泡状スポンジ材で、浮力が得られる。【００１１】図２は、第一実施例の、底面１Ａ、および、基台底面１Ａの船べり内側下方に設ける壁１Ｃの説明である。尚、図２、及び、図１、図７、図８の底面１Ａは、何れも、本発明の釣り仕掛け基台船べり装着装置が、底面１Ａ下部に構成される状態を分かり易くする為に、透視図としている。底面１Ａは、基台底面そのものであり、基台の材質は、ステンレスやプラスチック、木材で構成する。底面１Ａつまり基台底面の船べり内側を向く一端の中間には、万力を連結するための連結ネジ穴１Ｂを設ける。壁１Ｃは、より突き出た凸部５Ａをスポンジ状材質で構成する場合に設け、より突き出た凸部５Ａが船べり内側に倒れることを防ぐ。【００１２】図３は、第一実施例の、万力の連結部として用いる蝶番が、閉じた状態の説明である。前記蝶番は、羽根２Ｂに設ける連結ネジ穴２Ｅと底面１Ａの船べり内側を向く一端の中間に設ける連結ネジ穴１Ｂ、そして、他方の羽根２Ｃに設ける連結ネジ穴２Ｆと万力の躯体３Ａ上縁に設ける連結ネジ穴３Ｄをネジ等で連結する。尚、連結方法は、ネジの他に、溶接やリベットを使用する方法も採用可能である。結果、万力は、底面１Ａの下部で、倒立可能となる。さらに、蝶番の回転軸２Ａにコイルバネ２Ｄを付加することにより、万力を、自動的に、底面１Ａ下部へ収納することも可能である。【００１３】図４は、第一実施例の万力の斜視図である。万力の基本構成は、躯体３Ａおよび、締め付けボルト３Ｂ、締め付けローター３Ｃから成り、くわえ部３Ｆの可変範囲も、１０数センチメートルと、市販品と同様の構成である。尚、躯体３Ａ上縁には、連結穴３Ｄを設ける。締め付けローター３Ｃを加えた万力の全長は約２０センチメートル、最も広いローターの幅は、数センチメートルで、転倒収納した場合、基台底面への突出を、約４分の１に抑えることが可能になる。【００１４】図５は、第一実施例の、凸部４Ａとより突き出た凸部５Ａの説明である。本発明の釣り仕掛け基台船べり装着装置は、基台底面１Ａに凸部４Ａ、および、基台底面１Ａの船べり内側両端により突き出た凸部５Ａを設ける。凸部４Ａの厚さ４Ｃは、閉じた状態の蝶番の厚さ２Ｇに万力くわえ部上縁の躯体の厚さ３Ｅを加えた厚さと同等かやや厚くする。やや厚くすることにより、凸部４Ａのスポンジ状材質の弾性が、船べり上面との圧着を効果的にする。凸部４Ａに設けられているスペース４Ｂは、万力の連結部スペースである。凸部４Ａは、船べり上面と基台底面の圧着を補助できれば良く、形状は船べり上面に広く圧着する平板状が好ましい。がっしり船べり装着するには硬質な材質、船べり上面とのすべりを防ぐにはゴム質、軽量で船べり上面の凹凸に対応するにはスポンジ状がよい。尚、図５の凸部４Ａとより突き出た凸部５Ａは、点線で区分されているが、独立して存在することも可能である。【００１５】図６は、図１の第一実施例の基台下部に万力を収納した状態の全体斜視図である。基台が、船べりから外された非使用時の状態で、万力の連結部にコイルバネ２Ｄを装着している場合、自動的に、万力部が、基台下部に収納される。尚、前記のコイルバネを付加しない場合は、基台底面に、収納した万力を固定するストッパーを付加することが望ましい。【００１６】図７を以って、本発明の釣り仕掛け基台船べり装着装置の第二実施例を説明する。万力の連結部として、第一実施例の蝶番を用いる例に代えて、第二実施例の方法は、万力くわえ部３Ｆの上縁を構成する躯体３Ａに回転軸６Ｃを付加する例で、金属丸棒を溶接する又は前記躯体そのものを加工して円筒状突起を設ける等する。第二実施例の構成は、回転軸６Ｃを、両端の軸受け板６Ｂに設けた軸受け穴によって支え、更に、軸受け板６Ｂを軸受け板台座６Ａと一体にし、かつ、軸受け板台座６Ａに連結ネジ穴６Ｅを設けて、基台底面１Ａに設ける連結ネジ穴１Ｂとを、ネジなどで固定する。尚、抜け止めネジ６Ｆは、前記回転軸が、軸受け板６Ｂから、脱落することを防ぐ。結果、万力は、基台底面１Ａの下部で倒立可能となる。尚、また、回転軸６Ｃにコイルバネ６Ｄを装着し、バネの反発力を万力に伝え、自動的に万力を転倒収納することも可能である。【００１７】図８を以って、本発明の釣り仕掛け基台船べり装着装置の、第三実施例を説明する。本発明の釣り仕掛け基台が長い場合の実施例で、図７の第二実施例である万力の連結部を採用し、かつ、複数の万力を用いる例である。図８は、２個の万力を、基台底面１Ａの船べり内側を向く一端に、倒立可能にして設け、より突き出た凸部５Ａを省略して実施している。２個の万力は、より突き出た凸部５Ａの役割を兼ね、また、より強固な船べり固定を可能にする。【００１８】以上、発明の実施の形態について述べたが、この実施の形態に限定されること無く、変形例も本発明の範囲に包含される。
【発明の効果】
【００１９】（効果１Ａ）釣り仕掛け基台が、幅や厚さが異なる船べりに、装着自在になる
（効果１Ｂ）簡単な作業で、ずれやがたつき、回転が無い、確実な船べり装着ができる。
（効果１Ｃ）船べり装着装置が、全て基台下部に設けられ、作動するため、基台の操作性や機能の損失が、最小になる。
（効果１Ｄ）万力部が、基台下部へ転倒収納可能なため、運搬性に優れる。
（効果１Ｅ）万力の連結部に、バネを付加する事により、万力部の転倒収納を、自動化できる。
（効果１Ｆ）長い基台も、複数の万力を装着する事により、対応可能である。
（効果１Ｇ）凸部４Ａに単泡発砲材を用いることにより、浮力を得る事ができ、誤って、基台を、海中に落とした場合、回収可能である。
【図面の簡単な説明】
【００２０】
【図１】図１は、本発明の釣り仕掛け基台船べり装着装置、第一実施例の全体斜視図である。
【図２】図２は、第一実施例の、基台底面、および、基台底面の船べり内側下方に設けられた壁の透視、斜視図である。
【図３】図３は、第一実施例の、蝶番部の斜視図である。
【図４】図４は、第一実施例の、万力部の斜視図である。
【図５】図５は、第一実施例の、基台底面に設けられた凸部、および、基台底面船べり内側の両端設けられたより突き出た凸部の斜視図である。
【図６】図６は、図１の第一実施例の、万力を基台下部に収納した全体斜視図である。
【図７】図７は、本発明の釣り仕掛け基台船べり装着装置、第二実施例の斜視図である。
【図８】図８は、本発明の釣仕掛け基台船べり装着装置、第三実施例の全体斜視図である。また、図８は、図７の第二実施例の全体説明図を兼ねる。
【符号の説明】
【００２１】１Ａ．釣り仕掛け基台（基台が透視された状態）
１Ｂ．基台、連結穴
１Ｃ．基台、船べり内側の下方に向かう壁
２Ａ．蝶番、回転軸
２Ｂ．基台に連結される側の、蝶番の羽根
２Ｃ．万力に連結される側の、蝶番の羽根
２Ｄ．回転軸に付加された、コイルバネ
２Ｅ．蝶番の基台側、連結穴
２Ｆ．蝶番の万力側、連結穴
２Ｇ．閉じた状態の蝶番の厚さ
３Ａ．万力、躯体
３Ｂ．万力、ボルト部
３Ｃ．万力、締め付けローター
３Ｄ．万力の蝶番側、連結穴
３Ｅ．万力くわえ部上縁、躯体の厚さ
３Ｆ．万力、くわえ部
４Ａ．凸部
４Ｂ．万力の連結部スペース
４Ｃ．凸部、高さ
５Ａ．より突き出た凸部
６Ａ．軸受け板台座
６Ｂ．軸受け板
６Ｃ．回転軸／止めネジ穴つき
６Ｄ．回転軸に付加された、コイルバネ
６Ｅ．軸受け板台座、連結穴
６Ｆ．回転軸、抜け止めネジ
９．  船べり上面
１０．船べりが内側を向く面
１１．舷側
【図１】
0004088895.tif 000002
【図２】
0004088895.tif 000003
【図３】
0004088895.tif 000004
【図４】
0004088895.tif 000005
【図５】
0004088895.tif 000006
【図６】
0004088895.tif 000007
【図７】
0004088895.tif 000008
【図８】
0004088895.tif 000009